(57)【要約】【課題】  小型なカード排出装置を提供することを目的とする。【解決手段】  カードの側部にて該カードを挿抜可能に案内支持する支持部１１を有するフレーム１０と、フレーム１０の外壁面に形成された案内面１３に沿って往復動するプッシュロッド３０と、該プッシュロッド３０のカード挿入方向先端部からの押圧力を受けてカードを抜出方向に排出する排出レバー機構とを有しているカード排出装置において、フレーム１０はカードの外面に弾圧接触するグランド接触片１５を有し、プッシュロッド３０はこのグランド接触片１５の弾性接触時の撓みを許容する窓部３５もしくは切欠部が形成されている。【選択図】  図２
2006190692.tif 000002
【特許請求の範囲】
【請求項１】
カードの側部にて該カードを挿抜可能に案内支持する支持部を有するフレームと、フレームの外壁面に形成された案内面に沿って往復動するプッシュロッドと、該プッシュロッドのカード挿入方向先端部からの押圧力を受けてカードを抜出方向に排出する排出レバー機構とを有しているカード排出装置において、フレームはカードの外面に弾圧接触するグランド接触片を有し、プッシュロッドはこのグランド接触片の弾性接触時の撓みを許容する窓部もしくは切欠部が形成されていることを特徴とするカード排出装置。
【発明の詳細な説明】
【技術分野】
【０００１】
本発明は、電子機器へ挿入されたカードをその交換等のために排出するカード排出装置に関する。
【背景技術】
【０００２】
この種のカード排出装置としては、例えば、特許文献１に開示されているものが知られている。
【０００３】
この特許文献１の公知装置は、カードを挿抜可能に案内支持するフレームと、フレームの側方で往復動するプッシュロッドと、プッシュロッドからの押圧力を受けてカードを排出する排出レバー機構とを有している。
【０００４】
プッシュロッドは、操作者からの押込力を受ける第一ロッドと、この力を排出レバー機構へ伝達する第二ロッドとを有し、両ロッドは中間部材を介して係合している。中間部材は第一ロッドに回動自在に支持されていて、第二ロッドと係合する位置とこの係合を解除する位置との間を回動する。この中間部材の回動は、中間部材に取りつけられたピン部材の一端が、フレームに形成されたハートカム溝に係合して、第一ロッドの前後移動に伴って、該ハートカム溝を循環移動することによりなされる。
【０００５】
上記ハートカム溝は、中間部材に所定の回動を与えるようにピン部材の一端を案内すると共に、この案内のために該ピン部材の一端の循環が一方向に行われ、逆方向循環が起きないよう溝底面に傾斜面や段差が形成されている。
【０００６】
このようなハートカム溝を用いることにより、カードを排出するときには中間部材が第二ロッドと係合して排出レバー機構を作動せしめ、その後は中間部材が第二ロッドとの係合が解除される。上記係合状態では第一ロッドの押釦が機器の前面から突出しており、解除状態ではほぼ前面の位置にある。
【特許文献１】特開平１１−２１９７５６
【発明の開示】
【発明が解決しようとする課題】
【０００７】
上述のごとくのカード排出装置を備えた機器は、たとえ少しでも小型化されることが望まれている。そのためにはカード排出装置自体も小型化が要求される。               
【０００８】
しかしながら、既述した公知装置では、ハートカム機構を用いているために、その部分が小型化を困難なものとしている。
【０００９】
ハートカムは、カム溝が有底で、しかもその溝底面に段差が設けられているので、カム溝深さ、段差、そして底壁面厚さが必要となり、それだけ厚さ方向で大きな寸法となる。さらに、カム溝は立体的に複雑な形状をなしていて、そのために樹脂をモールド成形することにより作られる。したがって、材質の強度が低いので、強度確保のために、この点でも厚いものとならざるを得ない。
【００１０】
さらに、このハートカム機構は、カム溝が形成されている部材以外に、ピン部材、中間部材、付勢部材等多くの部品を要する。これは、単に部品点数が多く複雑な溝となってコスト高となるのみならず、これらの多くの部品の作動空間を要するということであって、その点でも大型化してしまう。
【００１１】
本発明は、このような事情に鑑み、簡単で安価に作れ、小型化を可能とするカード排出装置を提供することを目的とする。  
【課題を解決するための手段】
【００１２】
本発明に係るカード排出装置は、ＰＣカード等のカードの側部にて該カードを挿抜可能に案内支持する支持部を有するフレームと、フレームの外壁面に形成された案内面に沿って往復動するプッシュロッドと、該プッシュロッドのカード挿入方向先端部からの押圧力を受けてカードを抜出方向に排出する排出レバー機構とを有している。
【００１３】
かかるカード排出装地において、本発明では、フレームがカードの外面に弾圧接触するグランド接触片を有し、プッシュロッドはこのグランド接触片の弾性接触時の撓みを許容する窓部もしくは切欠部が形成されていることを特徴としている。
【００１４】
このような構成の本発明では、フレームの案内面にグランド接触子が設けられるが、案内面とプッシュロットを近接して設けることができ、その分だけ装置が小型化される。
【発明の効果】
【００１５】
本発明は、以上のように、フレームが、カードの外面に弾圧接触するグランド接触片を有し、プッシュロッドはこのグランド接触片の弾性接触時の撓みを許容する窓辺もしくは切欠部が形成されていることとしたので、フレームの案内面にグランド接触子が設けられるが、案内面とプッシュロットを近接して設けることができ、その分だけ装置の小型化に貢献する。
【発明を実施するための最良の形態】
【００１６】
以下、添付図面にもとづき、本発明の実施の形態を説明する。図１は本発明の一実施形態を示す各部材の分解斜視図、図２は組立斜視図を示す。
【００１７】
図１において、符号１０はＰＣカード等のカードＣを矢印Ｘ方向に往復案内可能に支持するフレームであり、その支持のための支持部１１，１２を有している。フレーム１０は金属板材料を打ち抜きそして屈曲成形されて作られており、全体として、平板部１０Ａの両側に「コ」字状の支持部１１，１２を有している形態をなしている。この支持部１１，１２はカードＣの両方の側部をかかえるようにして支持し、かつＸ方向に案内する。
【００１８】
上記両支持部１１，１２の側壁部１３，１４には、その後部（図にて左部）にグランド接触片１５，１６が設けられている。このグランド接触片１５，１６は上記側壁部１１，１２に「コ」字状の溝を形成することにより、腕状の弾性可撓片として形成されている。そして、このグランド接触片１５，１６は内方に屈曲した接触部１５Ａ，１６Ａを有し、カード挿入時にカードＣの側面に形成されたグランド部に対して弾性接触するようになっている。又、上記側壁部１１，１２の下端には、翼状に突出した取付部１１Ａが設けられている。
【００１９】
上記両支持部１１，１２のうち、本実施形態では、一方の支持部１１にカード排出のための要素を備えている。
【００２０】
先ず、上記支持部１１の側壁部１３には、その外面の上縁そして下縁に、一部を切り起して屈曲成形した逆Ｕ字状ガイド片１７，１８、そしてＵ字状のガイド片１９，２０，２１がそれぞれ設けられている。これらのガイド片１７〜２１は、後述するプッシュロッド（第一ロッド及び第二ロッド）を案内支持するためのものである。又、側壁部１３の前部下縁に位置するガイド片２１の手前位置でそれよりも若干上部に他のガイド片２２が逆Ｕ字状をなして設けられている。上記ガイド片１７〜２２のうち、上記側壁部１３の上部の後部に位置するガイド片１７は、その端部に外方へ延出する係止部１７Ａを有し、その後部に掛止溝１７Ｂが形成されている。
【００２１】
フレーム１０の側壁部１３の前後方向中央部（ガイド片１７，２０とガイド片２２の間）の下縁からは、一体に形成されたガイド板２３が延出している。該ガイド２３は上記フレーム１０の側壁部１３と平行に設けられており、中央部にガイド部としての窓状のガイド溝２４が形成されている。このガイド溝２４は前後に延びる直状溝部２５とその前後に連通して上方に向け形成された逆台形の鉤状溝部２６とを有している。上記ガイド板２３の後部上部には、当接片２７が設けられ、その前縁は下方に向くテーパ状の当接面２７Ａとなっている。又、上記ガイド板２３の前端には、外方に開くように傾斜した導入面２３Ａが設けられている。
【００２２】
上記プッシュロッド３０は、第一ロッド３１と第二ロッド３２とを有しており、共に金属材から作られ板状をなしている。第一ロッド３１は、後部に押釦３３が固着されるようになっており、前端には円形凹状の支持溝３４が形成され、後部寄りの中間部には、既述のグランド接触片１５の撓みを許容する窓部３５が形成されている。
【００２３】
次に、第二ロッド３２は、前端に押圧係合溝３６が形成され、後部には後方に延びる被圧腕部３７と離脱力付与腕部３８が略平行に設けられている。これらの二つの腕部は、被圧腕部３７が離脱力付与腕部３８に比し長くなっており、高さ方向では、前者は上記ガイド溝２４のうちの直状溝部２５そして後者は鉤状溝部２６の上部にそれぞれ対応して位置している。被圧腕部３７の後端面はカム部材に押圧される受圧部３７Ａとなっている。又、離脱力付与腕部３８は後部に外側へ向く傾斜部３８Ａを有している。上記第二ロッド３２の押圧係合溝３６には、カード排出レバー機構のイジェクトレバー３９の先端が係合しており、この第二ロッド３２からの押圧力を受け該イジェクトレバー３７の挺状の回動によって、上記レバー機構（図示せず）がカードを後方へ排出するようになっている。
【００２４】
上記第一ロッド３１と第二ロッド３２との間には、カム部材４０が配設されている。該カム部材４０は、図３によく見られるように、平板状の本体部４１の後部に、略円形状の被承部４２そして掛止溝４３Ａが形成され側方に延出した掛止片４３が設けられている。又、上記本体部４１の前部下縁には、一部が側方に屈曲された係合部４４が設けられている。
【００２５】
かかる第一ロッド３１、第二ロッド３２そしてカム部材４０は、次のように組み立てられる。
【００２６】
図２に示されるように、押釦３３が後端に固着された第一ロッド３１はガイド片１７，１９，２０の溝内に収められてフレーム１０の側壁部１３の外面に沿って上下縁で支持される。この第一ロッド３１の略円形の支持溝３４には、カム部材４０の被承部４２が収められており、その円形の周面にて該カム部材４０は上下に回動自在となっている。このカム部材４０は、第一ロッド３１により回動自在に支持された状態で、コイルばね４５によって後方に付勢されている。コイルばね４５は一端４５Ａがカム部材４０の掛止溝４３Ａに掛けられ、他端４５Ｂがフレームのガイド片１７の掛止溝１７Ｂに掛けられている。又、図２の状態では、ガイド板２３の内側に位置するカム部材４０の係合部４４がガイド板２３の直状溝部２５に係合している。又、第一ロッド３１の窓部３５内には、フレームのグランド接触片１５の接触部１５Ａが位置している。
【００２７】
第二ロッド３２は、上記フレーム１０の側壁部１３の外面に沿った位置で、ガイド片１８，２１，２２によって案内支持されている。この場合、ガイド片１８，２１は第二ロッド３２の上下縁でそれぞれ支持しているが、ガイド片２２は被圧腕部３７と離脱力付与腕部３８の間の溝内にあって支持している。この離脱力付与腕部３８の先端の傾斜部３８Ａがガイド板２３の鉤状溝部２６内に位置している。このとき、第一ロッド３１、第二ロッド３２、カム部材の本体部４１の板状部分が同一平面に位置するので、板厚方向に小型となっている。また、ガイド板２３とフレーム１０との連結部を第一ロッド及び第二ロッドの案内支持とすることもできる。
【００２８】
上記カム部材４０とフレーム１０のガイド片１７との間に張設されたコイルばね４５は、その軸線が上記ガイド溝２４よりも上方に位置し、かつカム部材４０の掛止溝４３Ａよりもフレーム１０のガイド片１７の掛止溝１７Ｂの方が後方に位置している。その結果、カム部材の後方の掛止溝に張力が加わり被承部４２を支点として回転力が生じ、前方に位置する係合部４４に対して外方への力が加わる。従って、コイルばね４５は、カム部材４０に対して後方へ付勢しているのみならず、カム部材４０の係合部４４をガイド板２３の内面に圧しかつ上方を引き上げるように付勢している。
【００２９】
このような、本実施形態装置について、図４と図５にもとづいて、その作動を説明する。なお、図４では（１）Ａ，（１）Ｂ〜（４）Ａ，（４）Ｂはその動作順を示すが、Ａはガイド板のガイド溝での横断面、Ｂはガイド板に対して側方から見た図を示している。
【００３０】
１）図４（１）Ａ，Ｂにおいては、カードは挿入状態にありコネクタと結合している。カム部材４０はコイルばね４５に引かれてガイド板２３の当接面２７Ａに当接する位置、すなわち最後退位置にきており、この状態では、第一ロッド３１の後端に設けられた押釦３３は機器の前面パネルから突出している。上記第一ロッド３１の前部で支持されているカム部材４０の係合部４４は、ガイド板２３に形成されているガイド溝２４の直状溝部２５内で、最後退位置にあって、第二ロッド３２の被圧腕部３７の後端とは至近位置で対向している。
【００３１】
２）次に、カード排出のために押釦３３を、コイルばね４５の付勢力に抗して押し、第一ロッド３１を前方へ押し込む。この工程では、カム部材４０の係合部４４は、直状溝部２５内を図４（１）Ａ，Ｂの状態の位置から図４（２）Ａ，Ｂを経て図４（３）Ａ，Ｂの状態の位置へ至る。この係合部４４の前進移動によって、第二ロッド３２はその被圧腕部３７で押圧力を受けて前進駆動される。この前進により、図１に見られるイジェクトレバー３９は端部で押されて、その梃子作用でカードを後方へ駆出し、コネクタから解放された抜出可能状態な位置へもたらす。かくして、カードは抜出される。
【００３２】
３）上記カム部材４０はコイルばね４５によって、後方にそして上方にも付勢されているので、係合部が直状溝部２５の最前位置へ到達すると、図４（３）Ａ，Ｂのごとく鉤状溝部２６へ入り込み、次の瞬間には、図４（４）Ａ，Ｂのごとく後退して掛止する。なお、直状溝部の前端に連なる鉤状溝部の斜面により係止部４４は鉤状溝部２６内へ案内もされる。かくして、この状態が維持される。この状態で第一ロッドの後端に設けられた押釦３３は機器のパネルからの突出位置にはない。
【００３３】
４）次に、カードを再び挿入しコネクタと結合せしめると、カード前端に押圧されたカード排出レバー機構の上記イジェクトレバー３９は、その端部で第二ロッド３２を後方へ押し出す。カム部材４０の係合部４４は、上述のごとく、最早第二ロッド３２の被圧腕部３７を押す位置にはなく、上方位置にあって、図５（１）Ａ，Ｂのごとく、第二ロッド３２の離脱力付与腕部３８と対向している。この状態が電子機器にカードが挿入されて使用される通常状態である。このカードがフレーム１０に挿入されると側壁部１３，１４に設けられたグランド接触片１５，１６がカードＣの側面に弾性接触し、外方へ拡がるが、第一ロッド３１に設けられた窓部３５内にて突出するのでフレームとプッシュロットを近接させて設けることができる。
【００３４】
５）カードを排出するために、押釦３３を押圧され、第一ロッド３１、カム部材４０が前進すると、第二ロッド３２の離脱力付与腕部３８の傾斜部３８Ａがカム部材４０の係止部４４を、ガイド溝２４、すなわち鉤状溝部２６から浮かせるように板厚に直角方向内方に向けて押す。既述のごとく、カム部材４０には、既述のようにコイルばね４５から、上方にそしてガイド部材の板面方向に付勢されていると共に後方に付勢されているので、係合部４４は鉤状溝部２６から外れると鉤状溝部２６より上方位置にてガイド部材の内側板面に摺接しながら、図５（２）Ａ，Ｂそして、図５（３）Ａ，Ｂの状態を経て後方へ移動する。その間、カム部材４０は第二ロッド３２とは全く係りがない。したがって、第二ロッド３２は図５（１）Ａ，Ｂの位置から変ることはない。このとき、第一ロッド３１に設けられた窓部３５は前後方向に長い形状をしているので第一ロッド３１とグランド接触片１５，１６が干渉することはない。
【００３５】
６）コイルばね４５の付勢力を受けて、カム部材４０がさらに後退すると、カム部材はガイド板２３の傾斜せる当接面２７Ａに当接し、下方へ回動する。その結果、係合部４４はガイド板２３の板面を摺動しながら下方へ移動して、ガイド溝２４の直状溝部２５の後部へ入り込む。すなわち、図４（１）Ａ，Ｂの状態にもどる。かくして、再びカードの排出動作の準備ができ上がる。
【００３６】
７）本実施形態において、カードが挿入されていない場合には、第二ロッド３２がイジェクトレバー３９から押圧力を受けていないので、図４（４）Ａ，Ｂの位置に留まっていて押釦はパネルの前面近くに位置しており突出していない。仮りに、このとき押釦を押しても、離脱力付与腕部３８が前進位置にあり干渉しないので第一ロッド３１により圧せられたカム部材４０は、図６(Ａ)，（Ｂ）のごとくガイド溝２４の鉤状溝部２６の範囲で移動するだけで、ガイド溝２４から外れたり直状溝部２５の方へ移動しないので、第二ロッド３２と係合することはない。かくして、カードが挿入されていないときには、押釦を押しても該押釦は突出位置にくることはない。すなわち押釦は、挿入されているカードを排出するときだけ突出して排出に備えるようになり、他のときは突出位置になく操作者の邪魔にならず又誤った操作を防止する。
【図面の簡単な説明】
【００３７】
【図１】本発明の一実施形態装置の分解斜視図である。
【図２】図１装置の組立斜視図である。
【図３】図１におけるカム部材の拡大斜視図である。
【図４】カード排出時の動作をその順に（１）〜（４）で示し、Ａはガイド板のガイド溝での横断面図、Ｂは側面図である。
【図５】カード挿入時の動作をその順に（１）〜（３）で示し、Ａはガイド板のガイド溝での横断面図、Ｂは側面図である。
【図６】カード未挿入時の状態を示し、（Ａ）はガイド板のガイド溝での横断面図、（Ｂ）は側面図である。
【符号の説明】
【００３８】
１０  フレーム                                  ３１  第一ロッド
１１  支持部                                    ３２  第二ロッド
１３  案内面（側壁部）                          ３５  窓部
１５  グランド接触片                            ３７  被圧腕部
２３  ガイド板                                  ３７Ａ  受圧部
２４  ガイド部（ガイド溝）                      ３８  離脱力付与腕部
２５  直状溝部                                  ３８Ａ  傾斜部
２６  鉤状溝部                                  ４０  カム手段（カム部材）
２７Ａ  当接部                                  ４４  係合部
３０  プッシュロッド                            ４５  付勢部材（コイルばね）
【図１】
2006190692.tif 000003
【図２】
2006190692.tif 000004
【図３】
2006190692.tif 000005
【図４】
2006190692.tif 000006
【図５】
2006190692.tif 000007
【図６】
2006190692.tif 000008